(57)【要約】      （修正有）【課題】簡単な構成で、確実に、しかも、短時間に、吃逆を停止させることが可能な吃逆停止装置を提供する。【解決手段】吃逆を発症している対象者の口及び鼻を覆うマスク１１と、マスクに接続されマスクにガスを供給するガス供給手段１２とを有し、ガスは、ＣＯ２ガスを７体積％以上１５体積％以下、及び、Ｏ２ガスを２０体積％以上、含んでいる。ガス供給手段によるガスの供給は、少なくとも動脈血内のＣＯ２ガス分圧が静脈血内のＣＯ２ガス分圧に達するまで、又は、少なくとも動脈血内のＣＯ２ガス分圧が６．５ｋＰａに達するまで、行われることが好ましい。【選択図】図１
2020162922.tif 000002
【特許請求の範囲】
【請求項１】
吃逆を発症している対象者の口及び鼻を覆うマスクと、該マスクに接続され該マスクにガスを供給するガス供給手段とを有し、前記ガスは、ＣＯ２ガスを７体積％以上１５体積％以下、及び、Ｏ２ガスを２０体積％以上、含むことを特徴とする吃逆停止装置。
【請求項２】
請求項１記載の吃逆停止装置において、前記ガス供給手段による前記ガスの供給は、少なくとも動脈血内のＣＯ２ガス分圧が静脈血内のＣＯ２ガス分圧に達するまで行われることを特徴とする吃逆停止装置。
【請求項３】
請求項１記載の吃逆停止装置において、前記ガス供給手段による前記ガスの供給は、少なくとも動脈血内のＣＯ２ガス分圧が６．５ｋＰａに達するまで行われることを特徴とする吃逆停止装置。
【請求項４】
請求項１〜３のいずれか１項に記載の吃逆停止装置において、前記ガス供給手段は、ＣＯ２ガスが充填されたＣＯ２用ガスボンベと、Ｏ２ガスが充填されたＯ２用ガスボンベと、該ＣＯ２用ガスボンベ及び該Ｏ２用ガスボンベにそれぞれ取り付けられた減圧弁と、該各減圧弁を介して前記マスクに供給されるＣＯ２ガスとＯ２ガスを前記体積割合に調整する混合器とを有することを特徴とする吃逆停止装置。
【発明の詳細な説明】
【技術分野】
【０００１】
本発明は、吃逆（しゃっくり）を停止する装置に係り、特に、持続性吃逆や難治性吃逆に有効な吃逆停止装置に関する。
【背景技術】
【０００２】
吃逆（しゃっくり）は謎の多い生理現象であり、その停止法には古来より様々な民間療法が存在する。例えば、仁和寺に現存する日本最古の医学書「医心方（いしんほう）」にも可能な限り息止めせよなどの治療法が紹介されている。
しかし近年、化学療法などで起こる持続性吃逆（ｐｅｒｓｉｓｔｅｎｔ  ｈｉｃｃｕｐｓ）は深刻であるにも拘わらず、その治療法に定見がなかった。この持続性吃逆は、吃逆が４８時間以上続くものであり、２か月以上続くものは難治性吃逆（ｉｎｔｒａｃｔａｂｌｅ  ｈｉｃｃｕｐｓ）と呼ばれている。
そこで、例えば、特許文献１に記載の鎮痛剤や、特許文献２に記載の鼻刺激装置が提案されている。
【先行技術文献】
【特許文献】
【０００３】
【特許文献１】特表２０１８−５３６７０９号公報
【特許文献２】特表２０１１−５２４７８０号公報
【発明の概要】
【発明が解決しようとする課題】
【０００４】
しかしながら、持続性吃逆や難治性吃逆（以下、単に難治性吃逆とも記載）の患者に共通するのは、一般的な治療法（水を飲む、息止めする、両耳孔に指を強く押し込む等）が無効なだけでなく、医療機関でのメトクロプラミド静注などの治療も無効なことである。
このため、前記従来の技術を用いても、十分な効果が得られない場合があった。
【０００５】
本発明はかかる事情に鑑みてなされたもので、簡単な構成で、確実に、しかも、短時間に、吃逆を停止させることが可能な吃逆停止装置を提供することを目的とする。
【課題を解決するための手段】
【０００６】
本発明者らは、民間療法に「息止め」が伝承されていることに注目し、安全かつ効率的にＣＯ２濃度を上昇させる「ビニル袋再呼吸法」による治療を行った。本法で実際に吃逆が止まることを確認した後、その具体的な生理現象を解明するため、基礎実験を行った。その後、実際の難治性吃逆患者やボランティアの協力を得て、吃逆が止まる際の具体的条件やその生理学的意味を検討し、本発明に想到した。
上記課題を解決するためになされた本発明の要旨は、以下の通りである。
【０００７】
前記目的に沿う本発明に係る吃逆停止装置は、吃逆を発症している対象者の口及び鼻を覆うマスクと、該マスクに接続され該マスクにガスを供給するガス供給手段とを有し、前記ガスは、ＣＯ２ガスを７体積％以上１５体積％以下、及び、Ｏ２ガスを２０体積％以上、含んでいる。
なお、ガスは、ＣＯ２ガスの体積割合が上記した範囲内であれば、残部がＯ２ガスのみ（ＣＯ２ガスの体積割合に応じて、８５体積％以上９３体積％以下）でもよい。また、残部のＯ２ガスの体積割合が２０体積％以上であれば、他のガス、例えば、Ｎ２ガス（窒素ガス）や不活性ガス（Ａｒガス（アルゴンガス）やＨｅガス（ヘリウムガス））が含まれてもよい。このガスの残部がＯ２ガスとＮ２ガスである場合は、空気を使用できる。
【０００８】
ここで、前記ガス供給手段による前記ガスの供給は、少なくとも動脈血内のＣＯ２ガス分圧が静脈血内のＣＯ２ガス分圧に達するまで行われることが好ましい。
また、前記ガス供給手段による前記ガスの供給は、少なくとも動脈血内のＣＯ２ガス分圧が６．５ｋＰａに達するまで行われることが好ましい。
【０００９】
本発明に係る吃逆停止装置において、前記ガス供給手段は、ＣＯ２ガスが充填されたＣＯ２用ガスボンベと、Ｏ２ガスが充填されたＯ２用ガスボンベと、該ＣＯ２用ガスボンベ及び該Ｏ２用ガスボンベにそれぞれ取り付けられた減圧弁と、該各減圧弁を介して前記マスクに供給されるＣＯ２ガスとＯ２ガスを前記体積割合に調整する混合器とを有するのがよい。
【発明の効果】
【００１０】
本発明に係る吃逆停止装置は、マスクとガス供給手段を有し、ガス供給手段からマスクに供給するガスが、ＣＯ２ガスを７体積％以上１５体積％以下、及び、Ｏ２ガスを２０体積％以上、含んでいるので、窒息に至ることなく、動脈血内のＣＯ２ガス分圧を、吃逆を停止させることができる状態（例えば、静脈血内のＣＯ２ガス分圧に達する状態や、６．５ｋＰａに達する状態）まで上昇させることができる。
従って、簡単な構成で、確実に、しかも、短時間に、吃逆を停止させることができる。
【図面の簡単な説明】
【００１１】
【図１】本発明の一実施の形態に係る吃逆停止装置の説明図である。
【図２】ビニル袋再呼吸における吸気中及び呼気中のＣＯ２ガス分圧（ＩｎｓｐＣＯ２及びＥｔＣＯ２）と経皮的動脈血酸素飽和度（ＳｐＯ２）の推移を示すグラフである。
【図３】ビニル袋再呼吸における動脈血中及び静脈血中のＣＯ２ガス分圧（ＰａＣＯ２及びＰｖＣＯ２）の推移を示すグラフである。
【発明を実施するための形態】
【００１２】
続いて、添付した図面を参照しつつ、本発明を具体化した実施の形態につき説明し、本発明の理解に供する。
図１に示すように、本発明の一実施の形態に係る吃逆停止装置１０は、吃逆（しゃっくり）を発症している対象者（図示しない）の口及び鼻を覆うマスク１１と、このマスク１１に接続されマスク１１にガスを供給するガス供給手段１２とを有し、対象者の吃逆を停止させる装置である。以下、詳しく説明する。
【００１３】
吃逆停止装置１０を適用する対象者は、吃逆を発症している人であれば、特に限定されるものではないが、持続性吃逆や難治性吃逆を発症した患者等であれば、吃逆停止装置１０の効果がより顕著になる。
なお、吃逆停止装置１０は、主として病院や介護施設等で使用できるが、これに限定されるものではなく、例えば、家庭で使用することもできる。
【００１４】
マスク１１は、対象者の口及び鼻の両方を覆う、例えば、病院等で使用されている従来公知のフルフェイス型のものである。このマスクを対象者に装着すると、マスクの内部空間が外部から遮断された状態（マスクの周縁部が対象者の顔に密着した状態）となるが、僅少の隙間が発生しても、供給されるガスにより内部空間が正圧になれば（負圧にならなければ）問題ない。
なお、マスクの構成は、少なくとも口と鼻の両方を同時に覆うことができれば、特に限定されるものではなく、例えば、顔全体（頭部全体）を覆うもの（袋状）でもよい。
【００１５】
マスク１１には、ガス供給手段１２から供給されるガスをマスク１１の内部空間に送るホース１３が接続されている。
ガス供給手段１２は、ＣＯ２ガス（二酸化炭素ガス）が充填されたＣＯ２用ガスボンベ１４と、Ｏ２ガス（酸素ガス）が充填されたＯ２用ガスボンベ１５と、このＣＯ２用ガスボンベ１４及びＯ２用ガスボンベ１５にそれぞれ取り付けられた減圧弁（圧力調整弁）１６、１７と、それぞれのガスの供給と停止を行う開閉弁（ストップバルブ）１８、１９とを有している。
【００１６】
この開閉弁１８、１９より下流側位置には、ＣＯ２用ガスボンベ１４から減圧弁１６と開閉弁１８を介してマスク１１に供給されるＣＯ２ガスと、Ｏ２用ガスボンベ１５から減圧弁１７と開閉弁１９を介してマスク１１に供給されるＯ２ガスを、予め設定した体積割合に調整し、ホース１３を介してマスク１１の内部空間へ供給するための混合器２０が設けられている。この混合器２０によるＣＯ２ガスとＯ２ガスの混合は、例えば、ガスの流量制御や圧力制御等により実施できる。
【００１７】
ここで、マスク１１に供給されるガス（予め設定した体積割合に調整されたガス）は、マスク１１に供給される全ガスの体積％（ｖｏｌ％）を１００体積％として、ＣＯ２ガスを７体積％以上１５体積％以下、及び、Ｏ２ガスを２０体積％以上、含む体積割合に調整されている（標準状態（０℃、１．０１３２５×１０５Ｐａ（１ａｔｍ））の環境下において）。
このように、ガスの体積割合を規定した理由を、以下に説明する。
【００１８】
本発明者は、高ＣＯ２血症が吃逆を停止させると考え、難治性吃逆の対象者に対し、空気で満たした容量２０Ｌ（リットル）の透明のビニル袋（５２０ｍｍ×６００ｍｍ）で形成される密閉空間内で再呼吸させた（以下、ビニル再呼吸と記載）。
ビニル袋の気密状態が確実に保たれていれば、吃逆は通常３〜４分程度で停止する。
そこで、この経験的治療法を検証するため、以下の実験を行った。
【００１９】
最初にビニル袋の密閉空間内で再呼吸を行った際の安全性の確認と、どのような生理学的状況になるかを、健康な成人男性ボランティアを用いて、経皮的動脈血酸素飽和度（以下、ＳｐＯ２とも記載）、心拍数、呼気中のＣＯ２ガス分圧（以下、ＥｔＣＯ２とも記載）、及び、吸気中のＣＯ２ガス分圧（以下、ＩｎｓｐＣＯ２とも記載）を測定した。その後、健康な成人男女１０名でも同様の実験を行い、再現性を確認した。
【００２０】
ＳｐＯ２の連続モニターにより窒息回避が可能であることを確認した（参考までに１０名で行った結果では、ＥｔＣＯ２が５０ｍｍＨｇ（６．７ｋＰａ）に達するまでの平均時間が１７２．２±４０．６秒、ＳｐＯ２が９０％に低下するまでの平均時間が２４３±８５．１秒であった）。
また、ビニル袋内で再呼吸が続けられなくなる理由は、Ｏ２不足ではなく、暑さに耐えられなくなるためと判明した。更に、密閉空間でない場合（紙袋による再呼吸法を想定）は、間隙からＣＯ２が大気に放出されるため、長時間再呼吸してもＣＯ２濃度が上昇しないことが判明した。なお、経験的に吃逆が停止すると思われた再呼吸開始３分後のＥｔＣＯ２は平均５０．０±２．０ｍｍＨｇ（６．７±０．３ｋＰａ）であった。
【００２１】
上記の結果を基に、文書で同意を得た２名の難治性吃逆患者にビニル再呼吸を行ってもらい、その際のＳｐＯ２、ＥｔＣＯ２、ＩｎｓｐＣＯ２を測定した。
吃逆が止まったのは、ＥｔＣＯ２（＝ＩｎｓｐＣＯ２）が一方の患者で５０ｍｍＨｇ、他方で５３ｍｍＨｇ（７．１ｋＰａ）のときであった。ＥｔＣＯ２（＝ＩｎｓｐＣＯ２）が静脈血ＣＯ２の正常値４６ｍｍＨｇ（６．１ｋＰａ）よりもやや高い５０ｍｍＨｇに達した頃、吃逆が止まることが判明した。
【００２２】
以上の知見に基づき、最終実験としてビニル再呼吸を行った際、吃逆が止まると考えられる時点、即ち「ＥｔＣＯ２＝ＩｎｓｐＣＯ２＝５０ｍｍＨｇ」となる時点での動脈血中のＣＯ２ガス分圧（以下、ＰａＣＯ２とも記載）と静脈血中のＣＯ２ガス分圧（以下、ＰｖＣＯ２とも記載）を調べるため、文書で同意を得た健常な成人男性ボランティアを用いて実験を行った。
【００２３】
ボランティアにビニル再呼吸を可能な限り行ってもらい、ＳｐＯ２、ＥｔＣＯ２、ＩｎｓｐＣＯ２を連続モニターした。動脈血と静脈血は、以下の４つの時点で同時に採取した。
・Ｔ０：ビニル再呼吸開始時点
・Ｔ１：ＥｔＣＯ２とＩｎｓｐＣＯ２が同値を示し始めた時点
・Ｔ２：ＥｔＣＯ２＝ＩｎｓｐＣＯ２＝５０ｍｍＨｇに達した時点
・Ｔ３：ＳｐＯ２が９０％に低下した時点
また、上記４点でのＰａＣＯ２とＰｖＣＯを測定した。
なお、上記した実験は、侵襲を伴うため、ボランティアは１名限りとした。
【００２４】
最終実験の結果を図２、図３に示す。
図２に示すように、ＥｔＣＯ２とＩｎｓｐＣＯ２は、ビニル再呼吸の開始から９０秒後に同値を示した（Ｔ１）。また、ＥｔＣＯ２（＝ＩｎｓｐＣＯ２）が５０ｍｍＨｇに達したのは２１０秒後であり（Ｔ２）、ＳｐＯ２が９０％未満に低下したのは３６０秒後であった（Ｔ３）。
これにＴ０〜Ｔ３までの各点でのＰａＣＯ２とＰｖＣＯ２を重ねたところ、図３に示すように、Ｔ１では「ＥｔＣＯ２＝ＩｎｓｐＣＯ２≒ＰａＣＯ２」であり、Ｔ２では「ＥｔＣＯ２＝ＩｎｓｐＣＯ２≒ＰａＣＯ２≒ＰｖＣＯ２≒５０ｍｍＨｇ」であった。
なお、ＳｐＯ２はＴ０からＴ３まで９０％以上を示していた。
【００２５】
吃逆は、自然に止まるか、又は、個々が信じる治療法により解決することが多い。しかし中には難渋する場合もあり、前記したように、４８時間以上続くものは持続性吃逆、２か月以上続くものは難治性吃逆と呼ばれている。
持続性吃逆患者や難治性吃逆患者に共通するのは、一般的な治療法が無効なだけでなく、医療機関でのメトクロプラミド静注などの治療も無効なことであるが、本発明者が、持続性吃逆患者に対してビニル再呼吸法で治療したところ、吃逆停止の成功率が１００％であった。
そこで、同法が成功するメカニズムを研究した。
結論から言えば、ＣＯ２が血液に蓄積し、動脈血内のＣＯ２ガス分圧が静脈血内のＣＯ２ガス分圧と同値に達した時、吃逆が止まることが判明した。これを以下に説明する。
【００２６】
まず、本発明の着想の原点は、医心方にも載っていた「息止め」である。しかし通常、息止めはせいぜい１分しか続かない。
そこで本発明者はＯ２の枯渇を遅らせ、かつ、有効にＣＯ２を蓄積させる手段としてビニル再呼吸を採用した。因みに、紙袋は気密性がない。そのため、呼気から排出されたＣＯ２の一部が、紙袋と接する皮膚との小さな隙間からでも容易に逃げてしまうことが判明した。その結果、紙袋ではＣＯ２濃度が有効治療域に達しない可能性が高い。
次に、吃逆の発生機序であるが、第ＩＸ脳神経（舌咽神経）咽頭枝に受けた刺激が求心路を介して延髄網様体に流入することで発生するとされている。即ち、吃逆の発生源は延髄にあると考えられ、これに関する機能を抑制できれば、吃逆を停止することができるといえる。
これらの基礎知識を踏まえ、実験結果を考察する。
【００２７】
実験前半の結果より吃逆が停止すると予測した「ＥｔＣＯ２＝ＩｎｓｐＣＯ２＝５０ｍｍＨｇの時点」は、動脈血と静脈血のＣＯ２が同値に達する時点（ＰａＣＯ２＝ＰｖＣＯ２）と一致していた（Ｔ２）。この生理学的意味について考察する。
我々動物は、換気不良の局面において、Ｏ２の低下よりもＣＯ２の蓄積により敏感である。これは脳が換気不良の指標であるＣＯ２の上昇を先に感知して、Ｏ２の低下の前に窒息回避行動をとるための生存本能と考えられる。
これに基づき、高ＣＯ２でありながらもＣＯ２を呼気から体外に排出可能な状態を「換気不良」、ＣＯ２を呼気から体外に排出しても、吸気から同量のＣＯ２が体内に戻ってくる状態を「換気停止」と定義する。なお、ＣＯ２を大気中に排出できないという意味では、ビニル再呼吸は息止めと同義である。
【００２８】
ＣＯ２に注目すると、Ｔ２よりも前はＰａＣＯ２＜ＰｖＣＯ２であり、Ｔ２以降はＰａＣＯ２＝ＰｖＣＯ２である。すると「Ｔ２より前は換気不良」であり、「Ｔ２以降は換気停止」であると言える。換気停止はやがて死が来ることを意味する。
つまり、Ｔ２の生理学的意味は、死を回避するため、脳が呼吸再開を強く警告する契機だと考えられる。
呼吸中枢は延髄に存在し、普段呼吸は無意識に自動制御されているが、我々は意図的に息止めや過呼吸ができる。即ち、呼吸は延髄と大脳の「二重支配構造」である。
しかし、意図的な呼吸を長時間続ける事は不可能であることから、普段呼吸は延髄優位といえる。
【００２９】
では、窒息の危機に直面した場合、呼吸調節は延髄と大脳のどちらが優位であるのか。
一例として、水に潜っている最中、水中で「空気が足りない」と感じた状況を想定してみる。もし延髄が平時と同様に機能していれば、体内のＣＯ２蓄積状況から「換気停止」と判断し、水中にも拘らず呼吸再開の命令を強く発するはずである。
しかし現実には、たとえ苦しくても我々は水面に浮上するまで息止めすることが可能である。つまり窒息の危機に直面した時、呼吸調節において大脳が延髄を凌駕したことを意味している。ではこの現象は、大脳機能が強くなったことによるものか、それとも延髄機能が弱くなったことによるものか、ということであるが、この疑問に答える前に吃逆中枢について説明する。
【００３０】
正確な場所は不明だが、吃逆中枢は延髄網様体に存在すると考えられている。吃逆中枢の異常信号は近接する延髄の吸気中枢などに直接混入し突発的な吸気運動を引き起こす。
これが吃逆である。大脳などの高次機能とは無関係であり、意志で制御することができない。
これを踏まえ先の疑問を考察すると、水中での危機に瀕して大脳機能が強大化したのであれば、延髄機能に変化はなく、吃逆中枢も変化がないので、吃逆が続くはずである。反対に延髄機能が抑制されたのであれば、中に含まれる吃逆中枢も同時に抑制を受け、吃逆が止まると考えられる。
【００３１】
つまり答えは、窒息の危機に瀕すると、延髄機能が抑制され、相対的に大脳優位の環境が作られるのであろうと考えられる。生命に関わる大脳の緊急命令を、自律神経の信号に干渉されず末梢までスムーズに伝えるためだと解釈すると、延髄抑制は生存本能として合理的である。因みに、「危機に瀕すると、相対的に大脳優位な呼吸調節が行われること」はすでに生理学的に解明されているが、その生理反応と吃逆との関連を示した研究は過去に皆無である。
前記したＴ２〜Ｔ３の状況は、水中の息止めと類似している。Ｔ２を契機に「換気停止」と判断した脳が、２つある呼吸の命令系統を大脳に一元化した。つまり意図的に呼吸を調節するために、競合する延髄機能を全て抑制した。その影響で、延髄にある吃逆中枢も活動が抑制され、結果的に、図らずも吃逆は止まり呼吸が正常化したと考えれば、一連の実験結果が合理的に説明できる。
【００３２】
古来より伝わる「息止め」には、それなりの根拠があり、前述した条件まで息止めを持続できれば、ビニル袋は不要と考えられる。
しかし現実は肺容量に限りがあり、ＣＯ２が有効濃度に達する前にＯ２の枯渇で苦しくなるため、普通の人では治療域までの息止めは難しい。ところがビニル袋を肺のリザーバーとして使用すれば、長時間息止めしたのと同じ効果を容易に再現できた。
また、本発明者はビニル袋をＯ２で充満させてから再呼吸させると極めて安全に治療が行えることを確認している。しかし、ビニル再呼吸を継続すると、やがて低酸素に陥るおそれがあるため、実際の臨床応用は、原理を完全に理解した医師が安全配慮して行うべきと考えている。ただし、今回発明したガスは、治療域まで血中ＣＯ２を上昇させることができる上に、低酸素に陥るおそれがない。このため、安全かつ確実に、吃逆が止められる。
【００３３】
息止めなどにより体内にＣＯ２が蓄積し、ＰａＣＯ２＝ＰｖＣＯ２（≒５０ｍｍＨｇ）に達すると、脳は異常な換気停止と判断し、生存本能に基づき、大脳で意図的に換気調節するために延髄機能を強く抑制する。
その影響で延髄網様体の吃逆中枢も活動が同時に抑制され、吃逆が止まると考えられる。
本発明者は、窒息回避と吃逆停止の意外な関係を明らかにして、本発明に想到したものである。
【００３４】
即ち、ガス供給手段１２によるマスク１１へのガスの供給は、少なくとも動脈血内のＣＯ２ガス分圧が静脈血内のＣＯ２ガス分圧に達するまで行う（達した後、１０秒以上６０秒以下程度、ガスの供給を続ける）ことが好ましい。
また、ガス供給手段１２によるマスク１１へのガスの供給は、少なくとも動脈血内のＣＯ２ガス分圧が４９ｍｍＨｇ（６．５ｋＰａ）に達するまで行う（達した後、１０秒以上６０秒以下程度、ガスの供給を続ける）ことが好ましい。
なお、平常時は、動脈血内のＣＯ２ガス分圧が４０ｍｍＨｇ（５．３ｋＰａ）程度、静脈血内のＣＯ２ガス分圧が４６ｍｍＨｇ（６．１ｋＰａ）程度、である。
【００３５】
上記条件を満たすためには、マスク１１に供給するガスが、ＣＯ２ガスを７体積％以上１５体積％以下、及び、Ｏ２ガスを２０体積％以上、含む必要がある。
なお、ガスは、ＣＯ２ガスの体積割合が上記した範囲内であれば、残部がＯ２ガスのみ（ＣＯ２ガスの体積割合に応じて、８５体積％以上９３体積％以下）でもよい。また、残部のＯ２ガスの体積割合が２０体積％以上であれば、他のガス、例えば、Ｎ２ガスや不活性ガス（ＡｒガスやＨｅガス）が含まれてもよい。このガスの残部がＯ２ガスとＮ２ガスである場合は、空気を使用できる。
【００３６】
ここで、ガス中のＣＯ２ガスの体積割合が７体積％未満の場合、ＣＯ２ガスの量が少な過ぎて、動脈血内のＣＯ２ガス分圧を、吃逆を停止させることができる状態まで上昇させることができず、又は、上昇させることができたとしても長時間を要する。一方、ガス中のＣＯ２ガスの体積割合が１５体積％超の場合、ＣＯ２ガスの量が多過ぎて、実用上問題がある。
従って、ガス中のＣＯ２ガスの体積割合を７体積％以上１５体積％以下にしたが、好ましくは、下限を８体積％、上限を１２体積％にするのがよい（具体的には、ガス中のＣＯ２ガスの体積割合を１０体積％程度にするのがよい）。
【００３７】
また、動脈血内のＣＯ２ガス分圧を、吃逆を停止させることができる状態まで上昇させるに際しても、ＳｐＯ２９０％以上を維持させるため、ガス中のＯ２ガスの体積割合を２０体積％以上とする必要がある。
なお、上記した理由から、ガス中のＯ２ガス量は多い方が好ましいため、上限値については特に限定していないが、好ましくは５０体積％以上、更には８０体積％以上、更に好ましくは、ガスをＣＯ２ガスとＯ２ガスのみ（Ｏ２ガス８５体積％以上）で構成するのがよい。
【００３８】
なお、マスク１１へのガスの供給と停止は、例えば、患者を介助する人が患者の症状を確認しながら手作業で実施できるが、前記した知見（過去の症例）等に基づき、制御手段（例えば、コンピュータ等）により、予め設定した時間、ガスを供給した後、停止するようにすることもできる。
この場合、ＳｐＯ２、心拍数、ＥｔＣＯ２、及び、ＩｎｓｐＣＯ２の各測定器を、上記した制御手段に接続するのがよい。これにより、各測定器で得られたデータを制御手段に送信し、この送信された各データに基づき、マスク１１へのガスの供給と停止を行うことができる。
【００３９】
続いて、本発明の吃逆停止装置１０を用いた吃逆停止方法について、図１を参照しながら説明する。
まず、吃逆を発症した患者にマスク１１を装着する。
次に、マスク１１にガス供給手段１２を接続する。
そして、マスク１１に、ＣＯ２ガスを７体積％以上１５体積％以下、及び、Ｏ２ガスを２０体積％以上、含むガスを供給する。このとき、ガスの供給圧力は、マスク１１内が負圧にならないように（例えば、１．１〜１．５ａｔｍ（１．１×１０５〜１．５×１０５Ｐａ）程度）調整する。
【００４０】
ここで、ガス供給手段１２によるマスク１１へのガスの供給は、少なくとも動脈血内のＣＯ２ガス分圧が静脈血内のＣＯ２ガス分圧に達するまで行う。
また、ガス供給手段１２によるマスク１１へのガスの供給は、少なくとも動脈血内のＣＯ２ガス分圧が４９ｍｍＨｇ（６．５ｋＰａ）に達するまで行う。
なお、マスク１１へのガスの供給を停止する時期は、吃逆が停止するまでとすることができるが、吃逆が停止した後、１０秒以上６０秒以下程度とするのがよい。
【００４１】
従って、本発明の吃逆停止装置を用いることで、簡単な構成で、確実に、しかも、短時間に、吃逆を停止させることができる。
【００４２】
以上、本発明を、実施の形態を参照して説明してきたが、本発明は何ら上記した実施の形態に記載の構成に限定されるものではなく、特許請求の範囲に記載されている事項の範囲内で考えられるその他の実施の形態や変形例も含むものである。例えば、前記したそれぞれの実施の形態や変形例の一部又は全部を組合せて本発明の吃逆停止装置を構成する場合も本発明の権利範囲に含まれる。
前記実施の形態においては、マスクにガスを供給するガス供給手段が、ＣＯ２用ガスボンベとＯ２用ガスボンベを有する場合について説明したが、ＣＯ２ガスとＯ２ガスの体積割合が前記した体積割合に調整されたガスをマスクに供給できれば、特に限定されるものではない。例えば、ガス供給手段が、ＣＯ２ガスとＯ２ガスを上記した体積割合に調整したガスが充填されたガスボンベを有し、このガスをマスクに直接供給することもできる。
また、ガスが充填される容器としては、ガスボンベの代わりに、携帯用のスプレー缶等を使用することもできる。
【符号の説明】
【００４３】
１０：吃逆停止装置、１１：マスク、１２：ガス供給手段、１３：ホース、１４：ＣＯ２用ガスボンベ、１５：Ｏ２用ガスボンベ、１６、１７：減圧弁、１８、１９：開閉弁、２０：混合器
【図１】
2020162922.tif 000003
【図２】
2020162922.tif 000004
【図３】
2020162922.tif 000005